(57)【要約】【課題】電力線の収納スペースを確保した小型の分電盤を提供する。【解決手段】分電盤Ａは、合成樹脂製であって横長の矩形箱状のボディ１を有し、ボディ１の前面側にはボディ１と略同じ外形寸法に形成された矩形枠状のカバー２が取付けられている。カバー２の前面側の開口部２ａには、４つに分割された分割パネル５〜８からなるパネル４が取付けられている。各分割パネル５〜８は、矩形板状の主片５ａ〜８ａをそれぞれ有し、各主片５ａ〜８ａの上側端縁には上側に行くほど前面側に傾斜する傾斜面を有する傾斜突片５ｂ〜８ｂがそれぞれ一体に設けられている。また、分割パネル５において分岐開閉器１４に対応する部位には、分岐開閉器１４の操作面１４ａを前面側に露出させるための開口窓５ｃが設けられ、分割パネル６において主幹開閉器に対応する部位には、主幹開閉器の操作面を前面側に露出させるための開口窓６ｃが設けられている。【選択図】図１
2008289333.tif 000002
【特許請求の範囲】
【請求項１】
開閉器が納装され、一面において開閉器に対応する部位に開口部を有し、他面に設けた挿通孔を通して電力線が収納されるケース本体と、開口部を覆うようにケース本体に取着され開閉器の操作部を前面側に露出させる窓孔を有するパネルとを備え、当該パネルの少なくとも一部に前面側に突出する突出部を設けたことを特徴とする分電盤。
【請求項２】
前記突出部は、パネルにおいて取付状態で上部となる部位に設けられたことを特徴とする請求項１記載の分電盤。
【請求項３】
前記開閉器として少なくとも分岐開閉器を有し、前記突出部には、取付状態において前記窓孔よりも上側の部位に対応する分岐開閉器の負荷名称を表示する表示部を設けたことを特徴とする請求項２記載の分電盤。
【発明の詳細な説明】
【技術分野】
【０００１】
本発明は、分電盤に関するものである。
【背景技術】
【０００２】
従来より、ボディの前面側にパネルを被着した住宅用の分電盤があった（例えば特許文献１参照）。この分電盤は、前面側が開口する略矩形箱状のボディを有し、ボディ内部には主幹開閉器及び複数の分岐開閉器が収納されている。また、ボディの前面側には主幹開閉器及び分岐開閉器に対応する部位に開口窓が設けられた複数のパネルが被着されており、主幹開閉器及び分岐開閉器の操作部が対応する開口窓を通して前面側に露出している。
【特許文献１】特許第３６２２６０５号公報（段落［００１１］−［００１５］、及び、第２図、第３図）
【発明の開示】
【発明が解決しようとする課題】
【０００３】
近年では各家庭において使用される電力量が増加する傾向にあり、その結果分電盤に収納される電力線も太く、硬いものになっているが、上述の特許文献１に示した分電盤では、電力線を収納するためのスペースが十分に設けられていないため、太く、硬い電力線の場合にはボディ内部に電力線が収まりきらず、パネルを被着できないという問題があった。また、例えばボディの奥行方向の寸法を大きくすることによって電力線を収納するためのスペースを確保することはできるが、この場合分電盤の厚みが全体的に厚くなり大型化するという問題があった。
【０００４】
本発明は上記問題点に鑑みて為されたものであり、その目的とするところは、電力線の収納スペースを確保した小型の分電盤を提供することにある。
【課題を解決するための手段】
【０００５】
請求項１の発明は、開閉器が納装され、一面において開閉器に対応する部位に開口部を有し、他面に設けた挿通孔を通して電力線が収納されるケース本体と、開口部を覆うようにケース本体に取着され開閉器の操作部を前面側に露出させる窓孔を有するパネルとを備え、当該パネルの少なくとも一部に前面側に突出する突出部を設けたことを特徴とする。
【０００６】
請求項２の発明は、突出部は、パネルにおいて取付状態で上部となる部位に設けられたことを特徴とする。
【０００７】
請求項３の発明は、開閉器として少なくとも分岐開閉器を有し、突出部には、取付状態において窓孔よりも上側の部位に対応する分岐開閉器の負荷名称を表示する表示部を設けたことを特徴とする。
【発明の効果】
【０００８】
請求項１の発明によれば、パネルの少なくとも一部に前面側に突出する突出部を設けることによって、パネルとケース本体の間の空間を大きく拡げることができるので、電力線が太く、硬い場合であってもこの空間内に電力線を収納することができ、したがってパネルをケース本体に確実に取付けることができるという効果がある。また、突出部を設けた分、パネルが部分的に厚くなっているだけなので、分電盤の厚みを全体的に厚くした場合に比べて、突出させていないパネルの分だけ小型化することができるという効果もある。
【０００９】
請求項２の発明によれば、分電盤は通常住居内において壁面の高い位置に設置されることが多いので、突出部を取付状態でパネルにおける上部となる部位に設けることによって、下側から分電盤を見た際に突出部が離れた位置にあるため突出部の張り出しが強調されることがなく、したがって住居内にいる人に対して圧迫感を与えることなく電力線を収納するスペースを拡げることができるという効果がある。
【００１０】
請求項３の発明によれば、分電盤は通常住居内において壁面の高い位置に設置されることが多いので、パネルにおいて取付状態で上部となる部位に突出部を設けるとともに、突出部において取付状態で窓孔よりも上側の部位に表示部を設けることによって、表示部が斜め前方に張り出しているから下側から見た際に分岐開閉器の負荷名称を容易に確認することができるという効果がある。
【発明を実施するための最良の形態】
【００１１】
本発明の実施形態を図１〜図８に基づいて説明する。本発明に係る分電盤Ａは、例えば住宅などの壁面に取付けられ、家庭内の電気機器などに電力を供給するために用いられる。尚、以下の説明では特に断りがない場合、図１（ａ）に示す向きにおいて上下左右の方向を規定し、図１の正面を前面という。従って、図２の右側が後面側になる。
【００１２】
本実施形態の分電盤Ａは、図１〜図３に示すように横長の略矩形箱状のボディ１と、ボディ１と略同じ外形寸法に形成されボディ１の前面側に取付けられる矩形枠状のカバー２と、カバー２の前面側の開口部２ａを覆うようにカバー２に取付けられるパネル４と、カバー２に設けられた軸受部２４に軸支されカバー２の前面側を開閉自在に覆う扉体３とを備えている。
【００１３】
ボディ１は、例えば合成樹脂成形品であって、前面側が開口する横長の略矩形箱状に形成されている。
【００１４】
このボディ１の内部には、図６に示すように長手方向一端側（図６の左側）に端子台９が収納されており、端子台９にはボディ１の裏面に設けた挿通孔（図示せず）を通してボディ１内部に導入された３本の電力線１６が固定ねじ１７を用いてそれぞれ接続されている。また、端子台９の下側には、端子台９の各端子に電気的に接続された３個の接続導体２２が前後方向に並んで配設されており、これらの接続導体２２を介して一次送り回路用の分岐開閉器１０の電源側端子（図示せず）が端子台９の各端子にそれぞれ電気的に接続されている。ここに、分岐開閉器１０の各電源側端子は、分岐開閉器１０の上側の側部に収納されるとともに、上記接続導体２２と同間隔で前後方向に並んで配設されたプラグイン端子からなり、各プラグイン端子の受け刃で対応する接続導体２２をそれぞれ挟持することで分岐開閉器１０の各電源側端子と端子台９の各端子とが電気的に接続される。尚、本実施形態のプラグイン端子は従来周知のものを採用しており、詳細な説明については省略する。
【００１５】
また、ボディ１の内部において端子台９の右側には、電路内を流れる電流を電力会社との契約電流以下に制限するための電流制限器１１が収納されており、電流制限器１１の前面側の略中央には内部の接点（図示せず）をオン／オフして各電源側端子と対応する負荷側端子との間を導通又は開放するための摘み１１ａが設けられている。尚、電流制限器１１の各電源側端子は、図示しない接続導体などを介して端子台９の各端子にそれぞれ接続され、また電流制限器１１の各負荷側端子は図示しない接続導体などを介して後述する主幹開閉器１２の各電源側端子に接続されている。
【００１６】
さらに、ボディ１の内部において電流制限器１１の右側には、主幹開閉器１２が収納されており、主幹開閉器１２の前面側の略中央には内部の接点（図示せず）をオン／オフして各電源側端子と対応する負荷側端子との間を導通又は開放するための摘み１２ａが設けられている。また、主幹開閉器１２の右側には、主幹開閉器１２の負荷側端子１２ｂが設けられ、各負荷側端子１２ｂは長尺状の導電バー１３ａ〜１３ｃの一端側にそれぞれ接続されている。さらに、導電バー１３ａ〜１３ｃの他端側には端子部２１が設けられており、この端子部２１は例えば別に設置された分電盤に電源を供給するための電源送り端子として用いられる。また、各導電バー１３ａ〜１３ｃには、長手方向に沿って複数の接続片（図示せず）が分岐開閉器１４の取付ピッチで並設されており、分岐開閉器１４を取付けた状態において分岐開閉器１４の各プラグイン端子の受け刃が対応する接続片を挟持することによって、分岐開閉器１４の各電源側端子と対応する主幹開閉器１２の負荷側端子１２ｂとが電気的に接続される。尚、分岐開閉器１４の電源側端子の構造は、上述した一次送り回路用の分岐開閉器１０の構造と同様であり、説明は省略する。
【００１７】
また、ボディ１の内部において導電バー１３ａ〜１３ｃの後面側には、分岐開閉器１４を取付けるための取付ベース１８が取付けられており、取付ベース１８の幅方向両端側（図６の上下方向両端側）には、分岐開閉器１４を係止するためのリブ１８ａ、１８ｂが長手方向に沿って分岐開閉器１４の取付ピッチでそれぞれ複数設けられている。
【００１８】
この取付ベース１８に分岐開閉器１４を取付ける場合には、リブ１８ａ、１８ｂを分岐開閉器１４の側面に設けた係止溝（図示せず）に合わせ、取付ベース１８に沿って内側にスライドさせると、リブ１８ａ、１８ｂがそれぞれ係止溝の端縁で係止するとともに、分岐開閉器１４の操作面１４ａに設けた係止突起（図示せず）が係止片１８ｃに設けた係止凹部（図示せず）に係合し、分岐開閉器１４が取付ベース１８に取付けられる。
【００１９】
逆に、取付ベース１８から分岐開閉器１４を取り外す場合には、係止片１８ｃの先端側を例えばドライバーなどで後面側に押し込むことで、係止凹部と係止突起の係止状態が解除され、この状態から取付ベース１８に沿って分岐開閉器１４を外側にスライドさせると、リブ１８ａ、１８ｂと係止溝の係止状態が解除されるとともに分岐開閉器１４が取り外される。
【００２０】
ここに本実施形態において、分岐開閉器１４は、図６に示すように導電バー１３ａ〜１３ｃを間にして上下方向両側に２列に配列されており、さらに取付ベース１８の長手方向に沿って複数（図６では各２個ずつ）並設されている。
【００２１】
また、ボディ１の内部において分岐開閉器１４の下側には、速結端子からなるアース端子台１５が複数（図６では３個）設けられ、各アース端子台１５のアース端子は主幹開閉器１２の中性極に電気的に接続されている。尚、本実施形態の速結端子は従来周知のものを採用しており、詳細な説明については省略する。
【００２２】
カバー２は、例えば合成樹脂成形品であって、図８に示すようにボディ１と略同じ外形寸法の矩形枠状に形成され、カバー２の前面側には端子台９、電流制限器１１、主幹開閉器１２及び分岐開閉器１４を前面側に露出させるための矩形状の開口部２ａが設けられている。また、開口部２ａにおいて幅方向両端側の開口端縁には、内側に向かって突出する矩形板状の係止突片２ｂが長手方向に沿って複数設けられている。尚、隣接する係止突片２ｂと係止突片２ｂとは、後述する分割パネル５の上下方向両端側に設けた保持片５ｄの左右方向幅寸法以上の間隔で設けられている。また、カバー２の幅方向下側において長手方向略中央には、扉体３を閉じた状態でカバー２に固定するための固定ねじ（図示せず）が螺合する固定部１９が設けられている。さらに、カバー２の幅方向上側には、扉体３を開閉自在に軸支するための軸受部２４が長手方向に沿って３箇所設けられている。ここに、ボディ１とカバー２とでケース本体が構成されている。
【００２３】
パネル４は、図１、図４及び図５に示すように、分岐開閉器１４に対応する部位に取付けられる分割パネル５と、主幹開閉器１２に対応する部位に取付けられる分割パネル６と、電流制限器１１に対応する部位に取付けられる分割パネル７と、端子台９及び一次送り回路用の分岐開閉器１０に対応する部位に取付けられる分割パネル８とで構成されている。
【００２４】
分割パネル５は、例えば合成樹脂成形品であって、矩形板状の主片５ａを有し、主片５ａの上側端縁には上側に行くほど前面側（図５の左側）に傾斜する傾斜面を有する傾斜突片（突出部）５ｂが一体に設けられている。また、分割パネル５の裏面側において上下方向両端側には、カバー２の上記係止突片２ｂと係止する保持片５ｄがそれぞれ設けられている。さらに、主片５ａ及び傾斜片５ｂにおいて分岐開閉器１４に対応する部位には、分岐開閉器１４の操作面１４ａを前面側に露出させる複数のノックアウト孔からなる開口窓５ｃがそれぞれ設けられており、主片５ａにおける開口窓５ｃの下側に対応する分岐開閉器１４の負荷名称を表示するための表示部５ｅが設けられるとともに、傾斜片５ｂにおける開口窓５ｃの上側に対応する分岐開閉器１４の負荷名称を表示する表示部５ｅが設けられている。また、分割パネル５の左右方向両端側の側面には、外側に向かって突出する係合突起５ｆが上下方向に沿って各４箇所ずつ設けられている。尚、上記ノックアウト孔は、収納される分岐開閉器１４の数に応じて開口される。
【００２５】
分割パネル６は、分割パネル５と同様に合成樹脂成形品であって、矩形板状の主片６ａを有し、主片６ａの上側端縁には上側に行くほど前面側に傾斜する傾斜面を有する傾斜突片（突出部）６ｂが一体に設けられている。また、分割パネル６の裏面側において上下方向両端側には、カバー２の上記係止突片２ｂと係止する保持片（図示はないが、保持片５ｄと同様の構造）がそれぞれ設けられている。さらに、主片６ａにおいて主幹開閉器１２に対応する部位には、主幹開閉器１２の操作面を前面側に露出させる複数のノックアウト孔からなる開口窓６ｃが設けられており、開口窓６ｃの上側には主幹開閉器１２の名称を表示するネームプレート２０が取付けられている。また、分割パネル６の左側側面には、外側に向かって突出する係合突起６ｅが上下方向に沿って４箇所設けられるとともに、分割パネル６の右側側面には、分割パネル５に設けた係合突起５ｆが係合する係合溝６ｄが上下方向に沿って４箇所設けられている。尚、上記ノックアウト孔は、収納される主幹開閉器１２の大きさに応じて開口される。
【００２６】
分割パネル７は、分割パネル５と同様に合成樹脂成形品であって、矩形板状の主片７ａを有し、主片７ａの上側端縁には上側に行くほど前面側に傾斜する傾斜面を有する傾斜突片（突出部）７ｂが一体に設けられている。また、分割パネル７の上下方向両端側には、後面側に突出するとともに取付状態においてカバー２の上記係止突片２ｂと係止する係止爪７ｃがそれぞれ設けられている。
【００２７】
分割パネル８は、分割パネル５と同様に合成樹脂成形品であって、矩形板状の主片８ａを有し、主片８ａの上側端縁には上側に行くほど前面側に傾斜する傾斜面を有する傾斜突片（突出部）８ｂが一体に設けられている。また、主片８ａにおいて分岐開閉器１０に対応する部位には、分岐開閉器１０の操作面１０ａを前面側に露出させるノックアウト孔からなる開口窓８ｃが設けられている。さらに、分割パネル８の上下方向両端側には、後面側に突出するとともに取付状態においてカバー２の上記係止突片２ｂと係止する係止爪８ｄがそれぞれ設けられている。尚、上記ノックアウト孔は、収納される一次送り回路用の分岐開閉器１０の数に応じて開口される。
【００２８】
これらの分割パネル５〜８をカバー２に取付ける手順について説明する。まず、分割パネル５は、保持片５ｄをカバー２の隣接する係止突片２ｂ間の隙間に配置した状態で前面側からカバー２に被着し、この状態から分割パネル５をカバー２に沿って右側にスライドさせると、図１（ａ）に示す位置で係止突片２ｂが保持片５ｄと分割パネル５の裏面との間で保持され、分割パネル５が開口部２ａを覆ってカバー２に取付けられる。
【００２９】
次に、分割パネル６は、分割パネル５と同様に、保持片をカバー２の隣接する係止突片２ｂ間の隙間に配置した状態で前面側からカバー２に被着し、この状態から分割パネル６をカバー２に沿って右側にスライドさせると、図１（ａ）に示す位置で係止突片２ｂが保持片と分割パネル６の裏面との間で保持され、分割パネル６が開口部２ａを覆ってカバー２に取付けられる。尚、この状態において、分割パネル５の左側側面に設けられた各係合突起５ｆが分割パネル６の右側側面に設けられた係合溝６ｄとそれぞれ係合しており、分割パネル５と分割パネル６とが隙間なく取付けられる。
【００３０】
さらに、分割パネル７は前面側からカバー２に被着することで、分割パネル７の上下方向両端側に設けられた各係止爪７ｃがそれぞれ対応する係止突片２ｂに係合し、分割パネル７が開口部２ａを覆ってカバー２に取付けられる。
【００３１】
また、分割パネル８は前面側からカバー２に被着することで、分割パネル８の上下方向両端側に設けられた各係止爪８ｄがそれぞれ対応する係止突片２ｂに係合し、分割パネル８が開口部２ａを覆ってカバー２に取付けられる。
【００３２】
ここで、図７はカバー２にパネル４を取付けた状態を示しているが、上述したように各分割パネル５〜８は、主片５ａ〜８ａの上側端縁に上側に行くほど前面側に傾斜する傾斜面を有する傾斜突片５ｂ〜８ｂが一体に設けられており、取付状態においてボディ１の背面とパネル４の間の空間を拡げることができる。したがって、図７に示すようにケース本体（ボディ１及びカバー２）内部に導入された電力線１６を傾斜突片５ｂ〜８ｂの部分に配設することによって、電力線１６が太く、硬い場合であっても、電力線１６をケース本体内に収納することができ、パネル４をカバー２に確実に取付けることができる。また、本実施形態では、傾斜突片５ｂ〜８ｂを設けた分、パネル４が部分的に厚くなっているだけなので、分電盤の厚みを全体的に厚くした場合に比べて、前面側に突出させていない主片５ａ〜８ａの分だけ小型化することができる。
【００３３】
また、分電盤は通常住居内において壁面の高い位置に設置されることが多いので、図１（ａ）及び図７に示すように傾斜突片５ｂ〜８ｂを取付状態で分割パネル５〜８における上部となる部位に設けることによって、下側から分電盤Ａを見た際に傾斜突片５ｂ〜８ｂが離れた位置にあるため傾斜突片５ｂ〜８ｂの張り出しが強調されることがなく、したがって住居内にいる人に対して圧迫感を与えることなく電力線１６を収納するスペースを拡げることができる。
【００３４】
さらに、上述したように分岐開閉器１４の負荷名称を表示する表示部５ｅを傾斜突片５ｂにおいて取付状態で開口窓５ｃよりも上側の部位に設けることによって、表示部５ｅが斜め前方に張り出しているので、下側から見た際に分岐開閉器１４の負荷名称を容易に確認することができる。
【００３５】
尚、本実施形態では、図１に示すように分割パネル５〜８において上側の部位に突出部をなす傾斜突片５ｂ〜８ｂを設けているが、突出部の位置は本実施形態に限定されるものではなく、電力線１６が配設される位置に応じて適宜設計してもよい。
【００３６】
また、本実施形態では、図１（ａ）において右側から分割パネル５、６、７、８の順にカバー２に被着しているが、分割パネル５〜８を被着する位置は本実施形態に限定されるものではなく、主幹開閉器１２や分岐開閉器１４の位置などに応じて適宜変更してもよい。さらに、分割パネルの枚数は本実施形態に限定されるものではなく、３枚以下や５枚以上であってもよい。また、分割パネルではなく、一枚もののパネルであってもよい。
【００３７】
また、本実施形態では、別体に設けたボディ１とカバー２とでケース本体を構成しているが、ケース本体は一体ものであってもよい。
【図面の簡単な説明】
【００３８】
【図１】本実施形態の分電盤の扉体を開けた状態を示し、（ａ）は正面図、（ｂ）はＸ−Ｘ断面図である。
【図２】同上の扉体を開けた状態の側面図である。
【図３】同上の扉体を閉めた状態を示し、（ａ）は正面図、（ｂ）は側面図である。
【図４】（ａ）〜（ｄ）は同上に用いられる分割パネルの正面図である。
【図５】同上に用いられる分割パネルの側面図である。
【図６】同上の部品配置図である。
【図７】同上に電力線を接続した状態を示す断面図である。
【図８】同上のパネルを取外した状態の正面図である。
【符号の説明】
【００３９】
１          ボディ
２          カバー
２ａ        開口部
４          パネル
５〜８      分割パネル
５ｂ〜８ｂ  傾斜突片（突出部）
５ｃ        開口窓（窓孔）
１４        分岐開閉器
１４ａ      操作面（操作部）
１６        電力線
Ａ          分電盤
【図１】
2008289333.tif 000003
【図２】
2008289333.tif 000004
【図３】
2008289333.tif 000005
【図４】
2008289333.tif 000006
【図５】
2008289333.tif 000007
【図６】
2008289333.tif 000008
【図７】
2008289333.tif 000009
【図８】
2008289333.tif 000010